(57)【要約】      （修正有）【課題】プラント運転中に既設監視システムに影響を与えずに監視システムの更新を可能にする。【解決手段】プロセス信号が入力される信号分岐装置１１と、前記信号分岐装置１１に接続され前記プロセス信号が入力される既設及び更新後プロセス入力装置１０−１、１０−２と、前記既設プロセス入力装置１０−１からの信号が入力される既設プロセス入力装置用受信バッファ２０−１と前記既設プロセス入力装置用受信バッファ２０−２からの信号が入力されるプラントデータ処理部２０−３とプラントデータ表示処理部２２とを有するプラントデータ処理装置２０とを備えるプラント監視システムで、前記プラントデータ処理装置２０は、前記更新後プロセス入力装置１０−２からの信号が入力される更新後プロセス入力装置用受信バッファ２０−２と前記更新後プロセス入力装置用受信バッファ２０−２からの信号を検証処理するプロセスデータ検証処理部２０−３を備える。【選択図】図１−１
2010198460.tif 000002
【特許請求の範囲】
【請求項１】
プラントからのプロセス信号が入力される信号分岐装置と、前記信号分岐装置に接続され前記プロセス信号が入力される既設及び更新後プロセス入力装置と、前記既設プロセス入力装置からの信号が入力される既設プロセス入力装置用受信バッファと前記既設プロセス入力装置用受信バッファからの信号が入力されるプラントデータ処理部とプラントデータ表示処理部とを有するプラントデータ処理装置と、を備えるプラント監視システムであって、
前記プラントデータ処理装置は、前記更新後プロセス入力装置からの信号が入力される更新後プロセス入力装置用受信バッファと前記更新後プロセス入力装置用受信バッファからの信号を検証処理するプロセスデータ検証処理部を具備することを特徴とするプラント監視システム。
【請求項２】
前記プラントデータ処理装置は、プロセスデータ入力切替司令部からの信号に基づき前記既設及び更新後プロセス入力装置用受信バッファの入力切替をおこなうプロセスデータ入力切替部をさらに備えたことを特徴とする請求項１記載のプラント監視システム。
【請求項３】
前記プラントデータ処理装置は、前記プロセスデータ検証処理部の代わりに、前記前記既設及び更新後プロセス入力装置用受信バッファのプロセスデータを比較検証するプロセスデータ比較検証処理部を備えたことを特徴とする請求項２記載のプラント監視システム。
【請求項４】
プラントからのプロセス信号が入力される信号分岐装置と、前記信号分岐装置に接続され前記プロセス信号が入力される既設及び更新後プロセス入力装置と、前記既設プロセス入力装置からの信号が入力される既設プロセス入力装置用受信バッファと前記既設プロセス入力装置用受信バッファからの信号が入力されるプラントデータ処理部とプラントデータ表示処理部とを有するプラントデータ処理装置と、を備えるプラント監視システムであって、
前記プラントデータ処理装置は、前記更新後プロセス入力装置からの信号が入力される更新後プロセス入力装置用受信バッファと前記既設／更新後プロセス入力装置用受信バッファの切替判定処理をおこなうプロセスデータ切替判定処理部と、前記切替判定処理部が切替可能と判断した場合は切替許可信号を許可判定を備えたプロセスデータ入力切替指令部に送信し、前記許可判定を備えたプロセスデータ入力切替指令部からの切替許可信号に基づき前記既設及び更新後プロセス入力装置用受信バッファの入力切替をおこなうプロセスデータ入力切替部を具備することを特徴とするプラント監視システム。
【請求項５】
前記プロセスデータ切替判定処理部は、既設及び更新後プロセス入力装置用受信バッファで受信したプロセスデータを蓄積するプロセスデータ蓄積ファイルを備えたことを特徴とする請求項４記載のプラント監視システム。
【請求項６】
前記プラントデータ処理装置は、検証結果を作成処理する検証結果作成処理部をさらに備えることを特徴とする請求項５記載のプラント監視システム。
【請求項７】
請求項１乃至６記載のプラント監視システムを用いたプラント監視方法。
【発明の詳細な説明】
【技術分野】
【０００１】
本発明は、例えば、原子力発電所のようなプラントに適用されるプラント監視システム及びプラント監視方法に関する。
【背景技術】
【０００２】
原子力発電所のようなプラントに備えられている監視システムは、監視システムを構成する計算機や機器の保障期間により定期的に設備更新が行われているが、プラント運転に重要な役割を担っていることから、プラント停止中の定期点検期間に監視システムの設備更新を実施する必要がある。  
しかし近年、定期点検期間が短縮化する傾向にあり、プラント運転中に既設の監視システムに影響を与えずにシステムを更新する必要性が高まってきている。
【０００３】
従来のプラント監視システムとして、例えば特許文献１があげられる。そのような従来のプラント監視システムの構成例を図７−１〜図７−５を用いて説明する。  
プラントデータ処理装置２０１は、プラントデータの警報判定処理、データ表示処理を行う。一つのプラントデータ処理装置２０１のプラントデータ処理部２０１−１は、プロセス入力装置１０１からプラントバス１００を経由して、プロセス入力装置用受信バッファ２０２−１でプロセスデータを入力し、プロセスＤＢ２０１−３を用いて、警報処理、警報表示要求処理を行い、プラントデータ表示処理部２０１−２から表示装置２０２−４にプロセスデータを表示する。
【０００４】
なお、原子力発電所では、プラントデータ処理装置及びプロセス入力装置はそれぞれ複数台設置されているが、ここでは、一対のプラントデータ処理装置２０１及びプロセス入力装置１０１について説明する。
【０００５】
プロセス入力装置１０１のプロセスデータ入力処理部１０１−１は、プラントから入力するプロセス信号を処理し、プロセスデータ送信処理部１０１−２は、プラントデータ処理装置２０１にプラントバス１００を経由して出力する。
【０００６】
プラントデータ処理部２０１−１の処理を図１０−２に示す。プロセス入力処理２０１−１１でプロセス入力装置１０１から受信したプロセスデータを受信バッファから入力する。次に、警報判定処理２０１−１２では、入力したプロセスデータをプロセスＤＢ２０１−３に定義されている警報情報で警報判定し、判定結果を警報状態としてプロセスＤＢ２０１−３に保存し、データ表示要求処理２０１−１３に通知を行う。
【０００７】
プラントデータ表示処理部２０１−２の処理を図１０−３に示す。プロセス入力処理２０１−２１は、プラントデータ処理部２０１−１で入力したプロセス入力装置１０１のプロセスデータを入力する。警報状態入力処理２０１−２２は、プロセスＤＢ２０１−３に保存されている警報判定結果を入力する。画面表示処理２０１−２３は、表示対象のプロセスデータと警報判定結果を表示装置２０２−４に表示する。
【０００８】
プロセス入力装置１０１のプロセスデータ入力処理部１０１−１の処理を図１０−４に示す。プロセスデータ入力処理１０１−１１は、プラントに配備されたセンサ、プラント機器からプロセス信号を入力し、入力判定処理１０１−１２で入力不良、センサ有効範囲逸脱判定を行い、プロセスデータ変換処理１０１−１３でプロセス信号を工学値に変換する。
【０００９】
プロセス入力装置１０１のプロセスデータ送信処理部１０１−２の処理を図１０−５に示す。ＥＵ値変換されたプロセスデータはプロセスデータ収集処理１０１−２１により予め決められた伝送フォーマットに収集され、送信アドレス設定処理１０１−２２で送信先アドレスを設定し、プロセスデータ送信処理１０１−２３にて、プラントバス１００を介して、プラントデータ処理装置２０１に送信する。
【先行技術文献】
【特許文献】
【００１０】
【特許文献１】特開２００４−２７２４３２号公報
【発明の概要】
【発明が解決しようとする課題】
【００１１】
原子力発電所等に適用されるプラント監視システムは、システムを構成する計算機や機器の保証期間により、約５年から１０年程度の間隔で設備更新が行われている。  
プラント監視システムはサーバや表示用の計算機が１０〜３０台、プロセス入力装置が１０〜２０台の規模であり、設備更新は、プラント監視システムはプラント運転に重要な役割を担っていることから、プラント停止中である定期点検期間に行われ、既設設備の撤去、更新後設備の搬入設置作業を経て、システム復元、プロセスデータの入力検証、プラント運転を支援する各種機能の動作検証を行ないプラント監視システムの健全性を保証している。
【００１２】
しかしながら、近年ユーザはプラント稼働率の向上のため、定期点検の短縮を強く望んでおり、システム更新に必要なプラントの停止期間を確保することが困難な状況になってきており、設備更新のタイミングにシステム更新ができないといった課題が発生している。
【００１３】
そこで、本発明では、プラント運転中に既設監視システムに影響を与えずに監視システムの更新を可能にするプラント監視システム及びプラント監視方法を提供することを目的とする。
【課題を解決するための手段】
【００１４】
上記課題を解決するために、本件発明に係るプラント監視システムは、プラントからのプロセス信号が入力される信号分岐装置と、前記信号分岐装置に接続され前記プロセス信号が入力される既設及び更新後プロセス入力装置と、前記既設プロセス入力装置からの信号が入力される既設プロセス入力装置用受信バッファと前記既設プロセス入力装置用受信バッファからの信号が入力されるプラントデータ処理部とプラントデータ表示処理部とを有するプラントデータ処理装置と、を備えるプラント監視システムであって、前記プラントデータ処理装置は、前記更新後プロセス入力装置からの信号が入力される更新後プロセス入力装置用受信バッファと前記更新後プロセス入力装置用受信バッファからの信号を検証処理するプロセスデータ検証処理部を具備することを特徴とする。
【００１５】
また、本件発明に係るプラント監視システムは、プラントからのプロセス信号が入力される信号分岐装置と、前記信号分岐装置に接続され前記プロセス信号が入力される既設及び更新後プロセス入力装置と、前記既設プロセス入力装置からの信号が入力される既設プロセス入力装置用受信バッファと前記既設プロセス入力装置用受信バッファからの信号が入力されるプラントデータ処理部とプラントデータ表示処理部とを有するプラントデータ処理装置と、を備えるプラント監視システムであって、前記プラントデータ処理装置は、前記更新後プロセス入力装置からの信号が入力される更新後プロセス入力装置用受信バッファと前記既設／更新後プロセス入力装置用受信バッファの切替判定処理をおこなうプロセスデータ切替判定処理部と、前記切替判定処理部が切替可能と判断した場合は切替許可信号を許可判定を備えたプロセスデータ入力切替指令部に送信し、前記許可判定を備えたプロセスデータ入力切替指令部からの切替許可信号に基づき前記既設及び更新後プロセス入力装置用受信バッファの入力切替をおこなうプロセスデータ入力切替部を具備することを特徴とする。
【発明の効果】
【００１６】
本発明によれば、プラント運転中に既設プロセス入力装置を停止せず、既設システムに影響を与えることなく更新後プロセス入力装置のプロセスデータの入力検証及び切替が可能となり、短期間でのシステム更新とプラント稼働率の向上を実現することができる。
【図面の簡単な説明】
【００１７】
【図１−１】本発明の第１の実施形態に係るプラント監視システム構成図。
【図１−２】本発明の第１の実施形態に係るプラント監視システムの信号分岐装置。
【図１−３】本発明の第１の実施形態に係るプラント監視システムのプロセスデータ入力処理フロー図。
【図１−４】本発明の第１の実施形態に係るプラント監視システムのプロセスデータ送信処理フロー図。
【図１−５】本発明の第１の実施形態に係るプラント監視システムのプラントデータ処理フロー図。
【図１−６】本発明の第１の実施形態に係るプラント監視システムのプラントデータ表示処理フロー図。
【図１−７】本発明の第１の実施形態に係るプラント監視システムのプロセスデータ検証処理部。
【図１−８】本発明の第１の実施形態に係るプラント監視システムの検証処理フロー図。
【図２−１】本発明の第２の実施形態に係るプラント監視システム構成図。
【図２−２】本発明の第２の実施形態に係るプラント監視システムの入力切替指令パネル。
【図２−３】本発明の第２の実施形態に係るプラント監視システムのプロセスデータ入力切替フロー図。
【図３−１】本発明の第３の実施形態に係るプラント監視システム構成図。
【図３−２】本発明の第３の実施形態に係るプラント監視システムのプロセスデータ比較検証処理フロー図。
【図４−１】本発明の第４の実施形態に係るプラント監視システム構成図。
【図４−２】本発明の第４の実施形態に係るプラント監視システムのプロセスデータ切替判定処理フロー図。
【図４−３】本発明の第４の実施形態に係るプラント監視システムの切替許可判定を備えた入力切替指令パネル。
【図５−１】本発明の第５の実施形態に係るプラント監視システム構成図。
【図５−２】本発明の第５の実施形態に係るプラント監視システムのプロセスデータ切替判定処理フロー図。
【図５−３】本発明の第５の実施形態に係るプラント監視システムの蓄積データ作成処理部。
【図６−１】本発明の第６の実施形態に係るプラント監視システム構成図。
【図６−２】本発明の第６の実施形態に係るプラント監視システムのプロセスデータ切替判定処理フロー図。
【図６−３】本発明の第６の実施形態に係るプラント監視システムの検証結果作成処理部。
【図７−１】従来のプラント監視システム構成図。
【図７−２】従来のプラント監視システムのプラントデータ処理フロー図。
【図７−３】従来のプラント監視システムのプラントデータ表示処理フロー図。
【図７−４】プロセスデータ入力処理部。
【図７−５】従来のプラント監視システムのプロセスデータ送信処理フロー図。
【発明を実施するための形態】
【００１８】
以下に本発明に係るプラント監視システムの実施形態を、図面を参照して説明する。  
（第１の実施形態）
本発明の第１の実施形態に係るプラント監視システムを図１−１〜１−８に基づき説明する。
【００１９】
図１−１において、本第１の実施形態に係るプラント監視システムは、プラントのセンサ、プラント機器から入力されるプロセス信号を分岐する信号分岐装置１１と、信号分岐装置１１を経由してプロセス信号が入力される既設プロセス入力装置１０−１及び更新後プロセス入力装置１０−２と、既設プロセス入力装置１０−１と更新後プロセス入力装置１０−２からプラントバス１−２を経由してプロセスデータが入力されるプラントデータ処理装置２０と、から構成される。
【００２０】
プラントデータ処理装置２０は、既設プロセス入力装置用受信バッファ２０−１と、プラントデータ処理部２０−５と、プロセスＤＢと、プラントデータ表示処理部２２と、表示装置２３と、を備えるとともに、更新後プロセス入力装置１０−２からの信号がプラントバス１−２を経由して入力される更新後プロセス入力装置用受信バッファ２０−２とプロセスデータ検証処理部２０−３を備えている。
【００２１】
このように構成されたプラント監視システムにおいて、信号分岐装置１１は、例えば図１−２のように、センサ、プラント機器からのプロセス信号を既設入力基板１−１１と更新後入力基板１−１２に分岐する機能を備えている。
【００２２】
信号分岐装置１１を経由してプロセス信号が入力された既設プロセス入力装置１０−１と更新後プロセス入力装置１０−２は、それぞれに備えられたプロセスデータ入力処理部１０１−１でプロセスデータ入力処理１０１−１１、入力判定処理１０１−１２、プロセスデータ変換処理１０１−１３を実施し、入力したプロセス信号に基づき、カウント値から工学値への変換を行う（図１−３）。
【００２３】
次に、工学値変換されたプロセス信号は、プロセスデータ送信処理部１０１−２でプロセスデータ収集処理１０１−２１、送信アドレス設定処理１０１−２２、プロセスデータ送信処理１０１−２３を実施し、プラントバス１−２を経由して、マルチキャスト伝送でプラントデータ処理装置２０の既設プロセス入力装置用受信バッファ２０−１と更新後プロセス入力装置用受信バッファ２０−２にそれぞれプロセスデータを送信する（図１−４）。
【００２４】
プラントデータ処理装置２０は、既設プロセス入力装置用受信バッファ２０−１で受信したプロセスデータをプラントデータ処理部２０−５でプロセス入力処理２０−１１、警報判定処理２０−１２、データ表示要求処理２０−１３を実施し（図１−５）、次に、プラントデータ表示処理部２２でプロセス入力処理２０−１２１、警報状態入力処理２０−１２２、画面表示処理２０−１２３を実施し、表示装置２３に表示出力する（図１−６）。  
一方、更新後プロセス入力装置用受信バッファ２０−２で受信したプロセスデータはプラントデータ検証処理部２０−３に送信される。
【００２５】
プラントデータ検証処理部２０−３の例を図１−７に示す。  
更新後プロセス入力装置用受信バッファ２０−２で受信したプロセスデータを受信バッファ入力処理２０−３１で取り込み、検証用テーブル入力処理２０−３２で予め作成しておいた検証用テーブル２０−３４を取り込む。
【００２６】
検証処理２０−３３では、更新後プロセス入力装置用受信バッファ２０−２で受信したデータを一旦テンポラリーファイルへ保存し２０−３３１、入力点１〜ｎについて更新後プロセス入力装置用受信バッファ２０−２のテンポラリーファイルからカウント値データ入力２０−３３２、ＥＵ値データ入力２０−３３３を実施し、次に、検証用テーブル２０３４）から入力レンジデータ所得２０−３３４、ＥＵレンジ、コンバージョンデータ所得２０−３３５を実施し、プロセスデータの検証を実施する（図１−８）。
【００２７】
以上より明らかなように、本第１の実施形態によれば、既設プロセス入力装置が動作している状態で、更新後プロセス入力装置のプロセスデータをプラントデータ処理装置に入力し、プロセスデータの入力検証を可能にすることができる。
【００２８】
これにより、プラント運転中に既設プロセス入力装置を停止せず、既設システムに影響を与えることなく更新後プロセス入力装置のプロセスデータの入力検証が可能となり、短期間でのシステム更新とプラント稼働率の向上を実現することができる。
【００２９】
（第２の実施形態）
本発明の第２の実施形態に係るプラント監視システムを図２−１〜２−３に基づき説明する。  
本第２の実施形態に係るプラント監視システムは、プラントデータ処理装置２０のプロセス信号処理の流れは第１の実施形態とほぼ同様であるため、異なる部分を中心に説明する。
【００３０】
本第２の実施形態は、プラントデータ処理装置２０に既設プロセス入力装置用受信バッファ２０−１と更新後プロセス入力装置用受信バッファ２０−２を切替えることを可能とするプロセスデータ入力切替部２０−４と、プロセスデータ入力切替指令部３０とを備えていることを特徴とする。
【００３１】
このように構成された本第２の実施形態において、プロセスデータ入力切替指令部３０は、例えば、入力切替指令パネル（図２−２）のように複数のプラントデータ処理装置２０1〜２０nに対し、複数のプロセス入力装置１〜ｎ毎に既設プロセス入力装置用受信バッファ２０−１と更新後プロセス入力装置用受信バッファ２０−２のどちらの受信バッファのプロセスデータを入力するか選択可能な構成とする。なお、図２−１では、便宜上、プラントデータ処理装置及びプロセス入力装置はそれぞれ１台のみ図示しているが、実際は、図２−２に示すように複数台設けられている。
【００３２】
プロセスデータ入力切替指令部３０で選択された受信バッファの情報は、それぞれのプラントデータ処理装置２０に通知され、プロセスデータ入力切替部２０−４に入力される。  
プロセスデータ入力切替部２０−４で、プロセスデータ入力切替指令部３０で選択された受信バッファの情報は、入力切替指令受信処理２０−４１が実施され、受信バッファ入力切替処理２０−４２により既設プロセス入力装置用受信バッファ２０−１と更新後プロセス入力装置用受信バッファ２０−２の切替を実施し、プラントデータ処理部２０−５にプロセスデータを送信する（図２−３）。
【００３３】
以上より明らかなように、本第２の実施形態によれば、プラント運転中にシステム稼動状態を維持した状況で、更新後プロセス入力装置のプロセスデータ入力検証及び装置切替が可能になるため、プラント運転中でのプロセス入力装置更新が可能となる。  
さらにプロセス入力装置の分割更新も可能となり、短期間でのシステム更新とプラント稼働率の向上を実現することができる。
【００３４】
（第３の実施形態）
本発明の第３の実施形態に係るプラント監視システムを図３−１〜３−２に基づき説明する。  
本第３の実施形態に係るプラント監視システムは、プラントデータ処理装置のプロセスの流れは第２の実施形態とほぼ同様であるため、異なる部分を中心に説明する。
【００３５】
本第３の実施形態は、プラントデータ処理装置２０に既設プロセス入力装置用受信バッファ２０−１と更新後プロセス入力装置用受信バッファ２０−２のプロセスデータを比較検証するプロセスデータ比較検証処理部２０−６−１を備えていることを特徴とする。
【００３６】
このように構成された本第３の実施形態において、プロセスデータ比較検証処理部２０−６−１は受信バッファ入力処理２０−６１１により既設プロセス入力装置用受信バッファ２０−１と更新後プロセス入力装置用受信バッファ２０−２のプロセスデータを入力し、コンペア処理２０−６１２で両データのコンペアを行い、既設プロセス入力装置で入力したプロセスデータと、更新後プロセス入力装置で入力したプロセスデータの差分データを作成し、検証を行う（図３−２）。
【００３７】
以上より明らかなように、本第３の実施形態によれば、プラント運転中にシステム稼動状態を維持した状況で、既設プロセス入力装置に影響を与えることなく、既設プロセス入力装置から入力したプロセスデータと更新後プロセス入力装置から入力したプロセスデータを比較することが可能となり、既設システムとの差分を検証することによる更新後プロセス入力装置の妥当性検証が可能となる。
【００３８】
（第４の実施形態）
本発明の第４の実施形態に係るプラント監視システムを図４−１〜４−３に基づき説明する。  
本第４の実施形態に係るプラント監視システムは、プラントデータ処理装置のプロセスの流れは第３の実施形態とほぼ同様であるため、異なる部分を中心に説明する。
【００３９】
本第４の実施形態は、プラントデータ処理装置２０に既設プロセス入力装置用受信バッファ２０−１と更新後プロセス入力装置用受信バッファ２０−２のプロセスデータの切替判定を行うプロセスデータ切替判定処理部２０−６−２とプロセス入力許容範囲テーブル２０−７とを備えることを特徴とする。  
プロセスデータ切替判定処理部２０−６−２は判定結果を、切替許可判定を備えたプロセスデータ入力切替指令部３１に出力する。
【００４０】
このように構成された本第４の実施形態において、プロセスデータ切替判定処理部２０−６−２は受信バッファ入力処理２０−６２１により既設プロセス入力装置用受信バッファ２０−１と更新後プロセス入力装置用受信バッファ２０−２のプロセスデータを入力し、コンペア処理２０−６２２で両データのコンペアを行う（図４−２）。
【００４１】
さらに予め備えてあるプロセス入力信号毎に定義したプロセス入力許容範囲ファイル２０−７の情報とコンペア結果を検証し、許容範囲内であるか否か判断し、許容範囲内であれば切替許可処理２０−６２３によって、切替許可判定を備えたプロセスデータ入力指令部３１に切替許可信号を出力する（図４−２）。
【００４２】
図４−３に切替許可判定を備えたプロセスデータ入力指令部３１の一例を示す。  
切替許可信号を受信した切替許可判定を備えたプロセスデータ入力切替指令部３１では許可された受信バッファの切替指令のみが選択可能となる。
【００４３】
切替許可判定を備えたプロセスデータ入力切替指令部３１からの指令は、それぞれのプラントデータ処理装置２０１〜２０ｎに通知され、それぞれのプロセスデータ入力切替部２０−４に入力され、既設プロセス入力装置用受信バッファ２０−１と更新後プロセス入力装置用受信バッファ２０−２の切替を実施し、プラントデータ処理部２０−５にプロセスデータを送信する。なお、図４−１では、便宜上、プラントデータ処理装置及びプロセス入力装置はそれぞれ１台のみ図示しているが、実際は、図４−３に示すように複数台設けられている。
【００４４】
以上より明らかなように、本第４の実施形態によれば、プラント運転中にシステム稼動状態を維持した状況で、更新後プロセス入力装置のプロセスデータ入力検証及び装置切替が可能になるため、プラント運転中でのプロセス入力装置更新が可能となる。
【００４５】
さらに検証結果が許容範囲内である場合に、更新後プロセス入力装置への切替を可能とするインターロックを備えているため、プラント運転中更新の信頼性を向上することが可能となる。
【００４６】
（第５の実施形態）
本発明の第５の実施形態に係るプラント監視システムを図５−１〜図５−３に基づき説明する。  
本第５の実施形態に係るプラント監視システムは、プラントデータ処理装置のプロセスの流れは第４の実施形態とほぼ同様であるため、異なる部分を中心に説明する。
【００４７】
図５−１において本第５の実施形態は、プラントデータ処理装置２０に既設プロセス入力装置用受信バッファ２０−１と更新後プロセス入力装置用受信バッファ２０−２のプロセスデータを蓄積するプロセスデータ蓄積ファイル２０−８を備え、蓄積データでプロセスデータで切替判定を行うプロセスデータ切替判定処理部２０−６−３を備えることを特徴とする。  
プロセスデータ切替判定処理部２０−６−３は判定結果を切替許可判定を備えたプロセスデータ入力切替指令部３１に出力する。
【００４８】
このように構成された本第５の実施形態において、プロセスデータ切替判定処理部２０−６−３は受信バッファ入力処理２０−６３１で既設プロセス入力装置用受信バッファ２０−１と更新後プロセス入力装置用受信バッファ２０−２のプロセスデータを入力し、蓄積データ作成処理２０−６３４にて図５−３に示すようなプロセスデータ蓄積ファイル２０−８を作成し、コンペア処理２０−６３２で両蓄積データのコンペアを行う（図５−２）。
【００４９】
さらに予め備えてあるプロセス入力毎に定義したプロセス入力許容範囲ファイル２０−７の情報とコンペア結果を検証し、許容範囲内であるか否か判断し、許容範囲内であれば切替許可処理２０−６３３によって切替許可判定を備えたプロセスデータ入力指令部３１に切替許可信号を出力する（図５−２）。
【００５０】
切替許可信号を受信した切替許可判定を備えたプロセスデータ入力指令部３１では許可された受信バッファの切替指令のみが選択可能となる。  
切替許可判定を備えたプロセスデータ入力切替指令部３１からの指令は、プラントデータ処理装置２０１〜２０ｎに通知され、それぞれのプロセスデータ入力切替部２０−４に入力され、既設プロセス入力装置用受信バッファ２０−１と更新後プロセス入力装置用受信バッファ２０−２の切替を実施し、プラントデータ処理部２０−５にプロセスデータを送信する。
【００５１】
以上より明らかなように、本第５の実施形態によれば、プラント運転中にシステム稼動状態を維持した状況で、既設プロセス入力装置から入力したプロセスデータと更新後プロセス入力装置から入力したプロセスデータを蓄積した長期トレンドデータで比較検証することが可能となり、信頼性を向上することが可能となる。
【００５２】
さらに検証結果が許容範囲内である場合に、更新後プロセス入力装置への切替を可能とするインターロックを備えているため、プラント運転中更新の信頼性を向上することが可能となる。
【００５３】
（第６の実施形態）
本発明の第６の実施形態に係るプラント監視システムを図６−１〜図６−３に基づき説明する。  
本第６の実施形態に係るプラント監視システムは、プラントデータ処理装置のプロセスの流れは第５の実施形態とほぼ同様であるため、異なる部分を中心に説明する。
【００５４】
図６−１において本第６の実施形態は、検証結果作成処理部２０−９を備えたことを特徴とする。  
プロセスデータ切替判定処理部２０−６−４は検証結果作成処理部２０−９に検証結果を出力し、検証結果を自動作成する。
【００５５】
このように構成された本第６の実施形態において、プロセスデータ切替判定処理部２０−６−４は受信バッファ入力処理２０−６４１で既設プロセス入力装置用受信バッファ２０−１と更新後プロセス入力装置用受信バッファ２０−２のプロセスデータを入力し、蓄積データ作成処理２０−６４４にてプロセスデータ蓄積ファイル２０−７を作成し、コンペア処理２０−６４２で両蓄積データのコンペアを行う（図６−２）。
【００５６】
さらに予め備えてあるプロセス入力毎に定義したプロセス入力許容範囲ファイル２０−７の情報とコンペア結果を検証し、許容範囲内であるか否か判断し、許容範囲内であれば切替許可処理２０−６４３によって切替許可判定を備えたプロセスデータ入力指令部３１に切替許可信号を出力する。そして、検証結果作成要求処理２０−６４５で検証結果を収集し、例えば図６−３に示すような検証結果４０を自動作成する（図６−２）。
【００５７】
以上より明らかなように、本第６の実施形態によれば、プラント運転中にシステム稼動状態を維持した状況で、既設プロセス入力装置から入力したプロセスデータと更新後プロセス入力装置から入力したプロセスデータを蓄積した長期トレンドデータで比較検証することが可能となり、信頼性を向上することが可能となる。
【００５８】
また、検証結果が許容範囲内である場合に、更新後プロセス入力装置への切替を可能とするインターロックを備えているため、誤操作を防止し、プラント運転中更新の信頼性を向上することが可能となる。  
さらに、検証結果を自動作成することが可能となり、試験期間の短縮により、短期間のプラント定期点検でのシステム更新が可能となる。
【符号の説明】
【００５９】
１−２…プラントバス、１−１１…既設入力基板、１−１２…更新後入力基板、１０−１…既設プロセス入力装置、１０−２…更新後プロセス入力装置、１１…信号切替装置、２０…プラントデータ処理装置、２０−１…既設プロセス入力装置用受信バッファ、２０−２…更新後プロセス入力装置用受信バッファ、２０−３…プロセスデータ検証処理部、２０−４…プロセスデータ入力切替部、２０−５…プラントデータ処理部、２０−６−１…プロセスデータ比較検証処理部、２０−６−２〜４…プロセスデータ切替判定処理部、２０−７…プロセス入力許容範囲ファイル、２０−８…プロセスデータ蓄積ファイル、２０−９…検証結果作成処理部、２１…プロセスＤＢ、２２…プラントデータ表示処理部、２３…表示装置、３０…プロセスデータ入力切替指令部の一例、３１…切替許可判定を備えたプロセスデータ入力切替指令部、４０…検証結果、１００…プラントバス、１０１…プロセス入力装置１、１０１−１…プロセスデータ入力処理部、１０１−２…プロセスデータ送信処理部、２０１…プラントデータ処理装置、２０１−１…プラントデータ処理部、２０１−２…プラントデータ表示処理部、２０１−３…プロセスＤＢ、２０２−１…プロセス入力装置１用受信バッファ。
【図１−１】
2010198460.tif 000003
【図１−２】
2010198460.tif 000004
【図１−３】
2010198460.tif 000005
【図１−４】
2010198460.tif 000006
【図１−５】
2010198460.tif 000007
【図１−６】
2010198460.tif 000008
【図１−７】
2010198460.tif 000009
【図１−８】
2010198460.tif 000010
【図２−１】
2010198460.tif 000011
【図２−２】
2010198460.tif 000012
【図２−３】
2010198460.tif 000013
【図３−１】
2010198460.tif 000014
【図３−２】
2010198460.tif 000015
【図４−１】
2010198460.tif 000016
【図４−２】
2010198460.tif 000017
【図４−３】
2010198460.tif 000018
【図５−１】
2010198460.tif 000019
【図５−２】
2010198460.tif 000020
【図５−３】
2010198460.tif 000021
【図６−１】
2010198460.tif 000022
【図６−２】
2010198460.tif 000023
【図６−３】
2010198460.tif 000024
【図７−１】
2010198460.tif 000025
【図７−２】
2010198460.tif 000026
【図７−３】
2010198460.tif 000027
【図７−４】
2010198460.tif 000028
【図７−５】
2010198460.tif 000029